【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
音声信号を受け取る段階と、
コンピュータシステムにより、複数の信号を送る段階と、を含み、前記複数の信号のうちの各信号は、複数の音声認識システム（ＳＲＳ）のうちのあるＳＲＳによる音声認識タスクの実行を開始するために構成され、各音声認識タスクは、（１）前記音声信号に含まれると予想される音声を特定する認識結果と、（２）当該ＳＲＳによって生成された認識結果が正しい可能性を示す信頼値との生成を含み、
前記方法は、
複数の音声認識タスクの一部が完了したことの検出に応じて、前記コンピュータシステムにより、（１）前記完了した音声認識タスクのそれぞれに関する１つまたは複数の認識結果と、（２）前記１つまたは複数の認識結果のそれぞれに関する１つまたは複数の信頼値とを生成する段階と、
前記音声認識タスクの完了した部分に関する前記１つまたは複数の信頼値のうちの各信頼値が閾値を満たすかどうか判定する段階と、
前記音声認識タスクの完了した部分に関する１つまたは複数の信頼値が、前記閾値を満たすとの判定に応じて、前記複数のＳＲＳのうち少なくとも１つのＳＲＳに、未完了でかつ信頼値を生成していない音声認識タスクを中断させるように構成された信号を送る段階と、
前記生成された１つまたは複数の認識結果のうち少なくとも１つに少なくとも部分的に基づいて、最終的な認識結果を出力する段階とを含む、方法。
【請求項２】
音声認識タスクが、前記音声認識タスクの完了のために許可された最大時間枠を指定する閾値を超過した場合、前記複数のＳＲＳのうち少なくとも１つのＳＲＳに、前記音声認識タスクを中断させるように構成された信号を送る段階をさらに含む、請求項１に記載の方法。
【請求項３】
完了した音声認識タスクが、生成された認識結果中の低い信頼値と関連している場合、前記複数のＳＲＳのうち少なくとも１つのＳＲＳに、未完了の音声認識タスクを中断させるように構成された信号を送る段階をさらに含む、請求項１に記載の方法。
【請求項４】
前記複数のＳＲＳのうち少なくとも１つが、複数の認識結果を生成する、請求項１に記載の方法。
【請求項５】
前記複数の認識結果のうち上位N個の認識結果と関連する信頼値に基づいて、前記上位Ｎ個の認識結果を順位付けするステップをさらに含み、ここで、Ｎは正の整数を表す、請求項４に記載の方法。
【請求項６】
前記複数のＳＲＳのうち異なるＳＲＳによって生成された信頼値に基づいて、前記上位Ｎ個の認識結果と関連する信頼値の移動平均を求める段階をさらに含む、請求項５に記載の方法。
【請求項７】
いずれの認識結果が前記信頼値の中から最も高い信頼値と関連するかに基づいて、前記上位Ｎ個の結果から前記最終的な認識結果を選択する段階をさらに含む、請求項６に記載の方法。
【請求項８】
いずれの認識結果が最も大きい信頼値と関連するかに基づいて、前記最終的な認識結果を選択する段階をさらに含む、請求項１に記載の方法。
【請求項９】
前記複数のＳＲＳのうち、前記最終的な認識結果および前記最終的な認識結果と関連する少なくとも１つの信頼値を生成したＳＲＳの数に基づいて、前記最終的な認識結果を選択する段階をさらに含む、請求項１に記載の方法。
【請求項１０】
最大時間枠が超過した場合、前記複数のＳＲＳのうち少なくとも１つのＳＲＳに、複数の音声認識タスクのそれぞれを中断させるように構成された信号を送る段階をさらに含む、請求項１に記載の方法。
【請求項１１】
発話を繰り返すようにユーザに促す段階をさらに含む、請求項１０に記載の方法。
【請求項１２】
人間のオペレータが前記音声信号を受ける、との要求を送る段階をさらに含む、請求項１０に記載の方法。
【請求項１３】
正規化された尺度での前記信頼値の分布に基づいて、前記最終的な認識結果を選択する段階をさらに含む、請求項１に記載の方法。
【請求項１４】
前記１つまたは複数の認識結果のうち１つの認識結果が高い信頼値に関連し、かつ前記１つまたは複数の認識結果のうち他の認識結果のうち少なくとも一部が低い信頼値の比較的小さい範囲内で互いに集中する場合、前記１つの認識結果を前記最終的な認識結果として選択する段階をさらに含む、請求項１３に記載の方法。
【請求項１５】
前記最終的な認識結果の選択において、前記１つまたは複数の認識結果のうち特定の認識結果を生成した、前記複数のＳＲＳのうち少なくとも２つのＳＲＳ間の相関に基づいて、前記特定の認識結果を重み付けする段階をさらに含む、請求項１に記載の方法。
【請求項１６】
前記複数のＳＲＳのうち少なくとも一部が、異なる言語モデルまたは音響モデルを含む、請求項1に記載の方法。
【請求項１７】
コンピュータで実施される方法であって、
音声信号を受け取る段階と、
複数の音声認識システム（ＳＲＳ）による音声認識タスクを開始する段階とを含み、各ＳＲＳが、前記音声信号に含まれると予想される音声を特定する認識結果と、前記認識結果の正確さの信頼度を示す信頼値とを生成するように構成され、
前記方法は、
１つまたは複数の認識結果、および前記１つまたは複数の認識結果に関する１つまたは複数の信頼値を生成することを含む前記音声認識タスクの一部を完了する段階と、
前記１つまたは複数の信頼値が信頼閾値を満たすかどうか判定する段階と、
前記１つまたは複数の信頼値が信頼閾値を満たす場合、未完了でかつ信頼値を生成していないＳＲＳに関する音声認識タスクの残りの部分を停止する段階と、
前記生成された１つまたは複数の認識結果の少なくとも１つに基づいて、最終的な認識結果を出力する段階とを含む、方法。
【請求項１８】
前記最終的な認識結果が正しくないとの指示を受け取った場合、前記音声認識タスクの停止された残りの部分を再開する段階をさらに含む、請求項１７に記載の方法。
【請求項１９】
受け取った音声信号内に符号化されたと予想される音声を識別するための複数の音声認識タスクの実行を開始する複数の音声認識システム（ＳＲＳ）を具備するシステムであって、各音声認識タスクは、（１）前記受け取った音声信号に含まれると予想される音声を特定する認識結果と、（２）当該ＳＲＳによって生成された認識結果が正しい可能性を示す信頼値との生成を含み、
前記システムは、認識管理モジュールを具備し、前記認識管理モジュールは、 
完了した複数の音声認識タスクの一部に関して、１つまたは複数の認識結果と、前記１つまたは複数の認識結果と関連する１つまたは複数の信頼値とを受け取り、
前記音声認識タスクの完了した部分に対する１つまたは複数の信頼値のうちの各信頼値が閾値を満たすかどうか判定するとともに、
前記音声認識タスクの完了した部分に関する１つまたは複数の信頼値が閾値を満たすとの判定に応じて、前記複数のＳＲＳのうち少なくとも１つのＳＲＳに、未完了でかつ信頼値を生成していない音声認識タスクを中断させるように構成された信号を送り、
前記システムは、前記１つまたは複数の認識結果の１つまたは複数の信頼値の少なくとも部分的に基づいて、選択された最終的な認識結果を送るためのインターフェースを具備する、システム。
【請求項２０】
受け取った音声信号内に符号化されたと予想される音声を識別するための複数の音声認識タスクの実行を開始する複数の音声認識システム（ＳＲＳ）を具備するシステムであって、各音声認識タスクは、（１）前記受け取った音声信号に含まれると予想される音声を特定する認識結果と、（２）前記ＳＲＳによって生成された認識結果が正しい可能性を示す信頼値との生成を含み、
前記システムは、
完了した複数の音声認識タスクの一部に関して、１つまたは複数の認識結果と、前記１つまたは複数の認識結果と関連する１つまたは複数の信頼値とを受け取り、
前記音声認識タスクの完了した部分に関する１つまたは複数の信頼値のうちの各信頼値が閾値を満たすかどうか判定するとともに、
前記音声認識タスクの完了した部分に関する１つまたは複数の信頼値が閾値を満たすとの判定に応じて、前記複数のＳＲＳのうち少なくとも１つのＳＲＳに、未完了でかつ信頼値を生成していない音声認識タスクを中断させるように構成された信号を送る
手段と、
前記１つまたは複数の認識結果の１つまたは複数の信頼値に少なくとも部分的に基づいて、選択された最終的な認識結果を送るためのインターフェースと、を具備し、前記最終的な認識結果は、前記受け取った音声信号内の予想される音声を表す、システム。
【請求項２１】
前記最終的な認識結果が正しいとの指示を受け取る段階と、
前記指示の受け取りに応じて、未完了のＳＲＳに関する前記音声認識タスクの残りの部分を中断する段階とをさらに含む、請求項１７に記載の方法。